(57)【要約】【課題】携帯端末を利用し、かつ、利便性及び操作性を高めたリモコン制御システムを提供すること。【解決手段】携帯端末１０は、被制御装置２０の識別情報を取得し、ネットワークＮを介してリモコンアプリ用配信／課金サーバ４０と接続する。リモコンアプリ用配信／課金サーバ４０は、被制御装置２０の識別情報に基づいてリモコンアプリを送信し、携帯端末１０の識別情報及び／又は被制御装置２０の識別情報に基づいて、リモコンアプリの送信に対する課金額を決定する。携帯端末１０は、リモコンアプリを実行することにより被制御装置２０を制御する。【選択図】図２
2008172614.tif 000002
【特許請求の範囲】
【請求項１】
通信機能を備えた携帯端末により、通信機能を備えた電子／電気機器を制御するリモコン制御システムであって、
前記携帯端末は、前記相互の通信機能を介し前記電子／電気機器の識別情報を取得し、ネットワークを介して所定の外部サーバ装置と接続し、
前記所定の外部サーバ装置は、前記電子／電気機器の識別情報に基づいて、前記電子／電気機器をリモコン制御するリモコンアプリケーションプログラムを前記携帯端末に送信すると共に、前記携帯端末及び／又は前記電子／電気機器の識別情報に基づいて、前記リモコンアプリケーションプログラムの送信に対する課金額を決定し、
前記携帯端末は、前記リモコンアプリケーションプログラムを実行することにより前記電子／電気機器を制御することを特徴とするリモコン制御システム。
【請求項２】
前記通信機能は、無指向性の無線通信システムであることを特徴とする請求項１に記載のリモコン制御システム。
【請求項３】
前記所定の外部サーバ装置は、決定した課金額を前記携帯端末に送信することを特徴とする請求項１に記載のリモコン制御システム。
【請求項４】
前記携帯端末は、表示部を備え、前記リモコンアプリケーションプログラムは、ユーザの操作に応じて変化するユーザインターフェイス画面を前記表示部に表示することを特徴とする請求項１に記載のリモコン制御システム。
【請求項５】
前記携帯端末は、複数の前記電子／電気機器を制御可能なリモコンアプリケーションプログラムを受信し、受信したリモコンアプリケーションプログラムを実行することにより前記複数の電子／電気機器を制御することを特徴とする請求項１に記載のリモコン制御システム。
【請求項６】
請求項１又は３に記載の前記所定の外部サーバ装置が行う処理を実行するサーバ装置。
【発明の詳細な説明】
【技術分野】
【０００１】
本発明は、リモコン制御システム、サーバ装置、特に、携帯端末にインストールされたリモコンアプリケーションプログラム（以下、リモコンアプリと記す）を用いて電子／電気機器をリモートコントロールするリモコン制御システム、送信するリモコンアプリに対する課金額を決定するサーバ装置に関する。
【背景技術】
【０００２】
一般的に使用される携帯電話機等の携帯端末を利用して、電子／電気機器、例えばテレビジョン受信装置（以下、ＴＶ装置と記す）等の装置を遠隔操作（リモートコントロール）できるようにしたリモコン制御システムが提案されている。
特許文献１には、携帯端末にインターネット上のサーバからダウンロードしたリモコンアプリを利用して家電機器等をリモートコントロールする技術が開示されている。
【特許文献１】特開２００２−１８６０６３号公報
【発明の開示】
【発明が解決しようとする課題】
【０００３】
しかし、特許文献１に開示されたリモコンアプリは、リモートコントロールする装置に対して、該装置に適合した形式のリモコン信号を生成するだけであった。そのため、リモコンアプリのユーザインターフェイスについては何ら考慮されておらず、ユーザにとって非常に使い勝手が悪いものであった。特に、現在の家電機器では、リモコンを利用して様々な機能を実行する必要があり、リモコンアプリの操作性を改善する必要ある。
【０００４】
また、かかるリモコン信号は、指向性の赤外線通信を介して、リモートコントロールする装置に送信されるため、リモコンアプリを実行する場合には、ユーザは赤外線発光部を装置に向けなければならず、携帯端末の目立たない位置にある赤外線発光部を装置に向けることはユーザの操作性を著しく低下させていた。
【０００５】
また、ＴＶ装置と、ＨＤＤレコーダ等の記録装置（以下、レコーダ装置と記す）とを同時に操作したい場合（例えば、同時に両装置の電源をオンにする）、ＴＶ装置用のリモコンアプリ及びレコーダ装置用のリモコンアプリを別々に起動し、それぞれのリモコンアプリを利用して各装置の電源をオンにしなければならず、ユーザに面倒な操作を強いるため、ユーザの操作性が低かった。
【０００６】
また、インターネット上のサーバからリモコンアプリをダウンロードする場合に、ダウンロードするリモコンアプリを選択する必要があるが、多数のリモコンアプリから所望のリモコンアプリを選択するのは非常に面倒であった。
さらに、リモコンアプリをダウンロードする場合、通常、所定額の料金が課金されるが、例えば、同一メーカの携帯端末及び家電機器を所有しているユーザも、その他のユーザも均一料金であり、ユーザによって料金を差別化する等、きめ細かなサービスを提供することが何ら考慮されていなかった。
【０００７】
本発明は、かかる実情に鑑みてなされたものであり、携帯端末を利用し、かつ、利便性及び操作性を高めたリモコン制御システムを提供することを目的とする。
また、リモコンアプリをダウンロードする際の利便性を向上し、きめ細かなサービスを提供できるサーバ装置を提供することを目的とする。
【課題を解決するための手段】
【０００８】
第１の技術手段は、通信機能を備えた携帯端末により、通信機能を備えた電子／電気機器を制御するリモコン制御システムであって、前記携帯端末は、前記相互の通信機能を介し前記電子／電気機器の識別情報を取得し、ネットワークを介して所定の外部サーバ装置と接続し、前記所定の外部サーバ装置は、前記電子／電気機器の識別情報に基づいて、前記電子／電気機器をリモコン制御するリモコンアプリケーションプログラムを前記携帯端末に送信すると共に、前記携帯端末及び／又は前記電子／電気機器の識別情報に基づいて、前記リモコンアプリケーションプログラムの送信に対する課金額を決定し、前記携帯端末は、前記リモコンアプリケーションプログラムを実行することにより前記電子／電気機器を制御することを特徴とするリモコン制御システムである。
【０００９】
第２の技術手段は、第１の技術手段において、前記通信機能は、ブルートゥースを始めとする無指向性の無線通信システムである。
【００１０】
第３の技術手段は、第１の技術手段において、前記所定の外部サーバ装置は、決定した課金額を前記携帯端末に送信するものである。
【００１１】
第４の技術手段は、第１の技術手段において、前記携帯端末は、表示部を備え、前記リモコンアプリケーションプログラムは、ユーザの操作に応じて変化するユーザインターフェイス画面を前記表示部に表示するものである。
【００１２】
第５の技術手段は、第１の技術手段において、前記携帯端末は、複数の前記電子／電気機器を制御可能なリモコンアプリケーションプログラムを受信し、受信したリモコンアプリケーションプログラムを実行することにより前記複数の電子／電気機器を制御するものである。
【００１３】
第６の技術手段は、第１又は第３の技術手段における前記所定の外部サーバ装置が行う処理を実行するサーバ装置である。
【発明の効果】
【００１４】
本発明により、携帯端末を利用するリモコン制御システムにおいて、リモコン制御システムを使用するユーザの利便性及び操作性を向上できる。また、携帯端末で動作するリモコンアプをダウンロードする際の利便性が向上でき、その他、きめ細かなサービスを提供できる。
【発明を実施するための最良の形態】
【００１５】
（実施例１）
図１は、本発明の概略を示したシステム構成図である。
１０は携帯端末、例えば、携帯電話機である。ユーザは、リモコンアプリ用配信／課金サーバ４０から携帯端末１０にダウンロードしたリモコンアプリを利用してＴＶ装置等の被制御装置２０をリモートコントロールすることができる。
なお、携帯端末として、携帯電話機を例示したが、他の携帯端末、例えば、ＰＤＡ（Ｐｅｒｓｏｎａｌ  Ｄｉｇｉｔａｌ  Ａｓｓｉｓｔａｎｔ）等でもよい。
【００１６】
２０は携帯端末１０にダウンロードしたリモコンアプリによってリモートコントロールされる被制御装置である。被制御装置としては、電子／電気機器、例えば、ＴＶ装置、ＳＴＢ（Ｓｅｔ  Ｔｏｐ  Ｂｏｘ）、ＨＤＤレコーダ、ミュージックサーバ、音響機器、冷暖房装置、車載用装置（カーナビゲーション装置等）である。
【００１７】
３０は基地局であり、携帯端末１０は基地局３０及びインターネット等のネットワークＮを介してリモコンアプリ用配信／課金サーバ４０にアクセスする。
リモコンアプリ用配信／課金サーバ４０は、携帯端末１０にネットワークＮ及び基地局３０を介してリモコンアプリを配信（送信）する処理、及び、配信したリモコンアプリに対して課金する処理を実行するサーバである。
【００１８】
ここで、携帯端末１０で動作するリモコンアプリ、リモコンアプリのダウンロードについて図２〜図９を用いて説明する。
図２は、リモコン制御システムを構成する、携帯端末１０，被制御装置２０，リモコンアプリ用配信／課金サーバ４０のブロック図である。
（携帯端末１０）
携帯端末通信部１０１は、近距離無線通信機能、例えばブルートゥース（Ｂｌｕｅｔｏｏｔｈ）等の無指向性通信により被制御装置２０と通信し、被制御装置２０にリモコン信号を送信、また、被制御装置２０から被制御装置識別情報を受信する。
ここで、携帯端末１０が制御対象とする被制御装置２０にリモコン信号を送信するために必要となる事前の接続認証処理（ペアリング）について説明する。
携帯端末通信部１０１が、通信可能領域内にある被制御装置を探索すると、制御部１１４は、探索した被制御装置の一覧表を表示部１１３に表示する。ユーザが表示された一覧表を参照し、制御したい被制御装置を選択すると、携帯端末通信部１０１は、後述する被制御装置の識別情報を取得する等して、選択した被制御装置との接続認証処理を実行する。なお、探索した被制御装置の中から制御したい被制御装置をユーザが選択しなくとも、探索した被制御装置と自動的に接続認証処理を実行してもよい。
【００１９】
リモコンアプリ記憶部１０２は、サーバ通信部１０５を介してリモコンアプリ用配信／課金サーバ４０からダウンロードしたリモコンアプリを記憶する。ＴＶ用リモコンアプリ１０２ａは、被制御装置（ＴＶ装置）２０を遠隔制御するアプリケーションである。このＴＶ用リモコンアプリ１０２ａは、汎用プログラム言語、例えばＪａｖａ（登録商標）等により作成されたアプリケーションであり、制御部１１４のリモコンアプリ実行部１１４ａにより実行されて、ユーザの操作に応じて変化するユーザインターフェイス画面を表示部１１３に表示したり、各種リモコン信号を被制御装置２０に送信し、被制御装置２０をリモートコントロールする。
【００２０】
ここで、リモコンアプリの一例であるＴＶ用リモコンアプリ１０２ａの実行時に表示部１１３に表示される画面、及び、前述したリモコン信号について図３及び図４を用いて説明する。
図３は、ＴＶ用リモコンアプリ１０２ａの実行時に表示部１１３に表示される画面の一例を説明するための図で、図４は、ＴＶ用リモコンアプリ１０２ａが有するリモコン信号対応表５１の一例である。
【００２１】
ユーザがＴＶ用リモコンアプリ１０２ａを起動すると、最初に図３（Ａ）に示すリモコン画面５０が表示部１１３に表示される。
図中、５０ａは電源ＯＮキー、５０ｂは電源ＯＦＦキー、５０ｃはチャンネル入力ボックス、５０ｄはメニュー表示キー、Ｃはカーソルである。
ユーザが電源ＯＮキー５０ａにカーソルＣを当てて、操作部１１２の決定キーを押すと、ＴＶ用リモコンアプリ１０２ａは、図４に示したリモコン信号対応表５１を参照して、電源をオンにするように被制御装置２０に指令するリモコン信号（電源ＯＮ信号“０ｘ００００”）を生成し、このリモコン信号を、携帯端末通信部１０１を介して、被制御装置２０に送信する。
【００２２】
被制御装置２０の電源をオンにした後、ユーザがチャンネルを１に切り替えようとして、カーソルＣをチャンネル入力ボックス５０ｃに移動すると、図３（Ｂ）のようにリモコン画面が切り替わり、チャンネル入力ボックス５０ｃが画面中央部に大きく表示され、さらに“テンキーで数字を入力してください”とのガイダンスＧが表示される。
【００２３】
このように、ユーザの操作に応じてＴＶ用リモコンアプリの画面が変化したり、ユーザに操作案内情報（ガイダンス）が提示されたりするので、ユーザの操作性が向上する。
【００２４】
図２のブロック図の説明に戻る。
被制御装置識別情報記憶部１０３は、前述した接続認証処理において携帯端末通信部１０１を介して被制御装置２０から取得した該装置２０の識別情報を記憶する（被制御装置２０の登録）。この被制御識別情報には、被制御装置２０の製造メーカ名，製品型番，ＧＵＩＤ（Ｇｌｏｂａｌ Ｕｎｉｑｕｅ Ｉｄｅｎｔｉｆｉｅｒ）等、被制御装置２０を識別できる情報が含まれる。
図示例では、ＴＶ装置識別情報１０３ａが記憶されている。
【００２５】
携帯端末識別情報記憶部１０４は、携帯端末１０の製造メーカ名，製品型番，携帯電話番号、ＧＵＩＤ等、携帯端末１０を識別するための携帯端末識別情報を記憶する。
なお、携帯端末識別情報は、携帯端末１０と被制御装置２０とがペアリングする際に、被制御装置２０に送信される。
【００２６】
サーバ通信部１０５は、基地局３０を介してリモコンアプリ用配信／課金サーバ４０と通信し、リモコンアプリ用配信／課金サーバ４０に被制御識別情報及び携帯端末識別情報を送信、また、リモコンアプリ用配信／課金サーバ４０が送信したリモコンアプリを受信する。
【００２７】
携帯端末基本機能部１１１は、携帯端末の基本機能、例えば携帯端末が携帯電話機の場合には、携帯電話機の基本機能である、発呼，着呼機能等を実行する。
操作部１１２は、十字キー，テンキー等で構成され、ユーザは操作部１１２を介して携帯端末１０を操作することができる。
表示部１１３は、液晶パネル等から構成され、リモコンアプリのユーザインターフェイス画面，操作情報等を表示する。
【００２８】
制御部１１４は、前述したリモコンアプリ実行部１１４ａを有し、各機能ブロックを制御する。
【００２９】
（被制御装置２０）
次に、被制御装置２０について説明する。
被制御装置通信部２０１は、近距離無線通信機能、例えばブルートゥース（Ｂｌｕｅｔｏｏｔｈ）等の無指向性通信により携帯端末１０の携帯端末通信部１０１と通信し、携帯端末１０からの要求に応じて被制御装置識別情報記憶部２０３に記憶された被制御装置識別情報を携帯端末１０に送信、また、携帯端末１０のリモコンアプリが送信したリモコン信号を受信する。
【００３０】
このように、携帯端末１０と被制御装置２０とは、ブルートゥース機能等を利用して、各種データの送受信を実行するが、接続相手を登録（ペアリング）する際に必要となるパスキー（認証鍵）として、携帯端末（携帯電話機）１０の携帯電話番号を利用すれば、ペアリングを簡易に実現することができる。
【００３１】
リモコン信号／制御コマンド変換部２０２は、同部２０２に記憶されたリモコン信号／制御コマンド対応表を参照して、携帯端末１０のリモコンアプリが送信したリモコン信号を被制御装置２０の各機能を実行するときに発行される制御コマンドに変換し被制御装置基本機能部２１１に出力する。
【００３２】
図５は、リモコン信号／制御コマンド対応表５２の一例を示した図である。
図に示したように、携帯端末１０からのリモコン信号に対応して、被制御装置２０の制御コマンドが定められている。
携帯端末１０のＴＶ用リモコンアプリ１０２ａが送信した、電源をオンにするように被制御装置２０に指令するリモコン信号（“０ｘ００００”）が、リモコン信号／制御コマンド変換部２０２に入力されると、同変換部２０２は、リモコン信号／制御コマンド対応表５２を参照し、入力されたリモコン信号を、“ＰＷＲ＿ＯＮ”コマンドに変換し、被制御装置基本機能部２１１に出力する。被制御装置基本機能部２１１は、同コマンドにより、被制御装置２０の電源をオンにする。
【００３３】
被制御装置識別情報記憶部２０３は、前述した被制御装置２０を識別するための識別情報を記憶する。なお、被制御装置識別情報は、携帯端末１０を被制御装置２０に登録（ペアリング）する際に、携帯端末１０に送信される。
【００３４】
被制御装置基本機能部２１１は、被制御装置２０がＴＶ装置の場合には、ＴＶ装置の基本機能、ＴＶ信号受信機能等を実行する。
操作部２１２は、電源ＯＮ／ＯＦＦキー等で構成され、ユーザは操作部２１２を介して被制御装置２０を操作することができる。
表示部２１３は，液晶パネル等から構成され、ＴＶ映像，操作情報等を表示する。
制御部２１４は、各機能ブロックを制御する。
【００３５】
次に、リモコンアプリのダウンロード処理及び課金処理について説明する。
（リモコンアプリ用配信／課金サーバ４０）
リモコンアプリ用配信／課金サーバ４０は、外部サーバ装置として機能し、被制御装置識別情報に基づいて携帯端末１０にリモコンアプリを送信する機能、及び、携帯端末及び／又は被制御装置の識別情報に基づいてリモコンアプリの送信に対する課金額を決定する機能を有する。なお、実施例では、両機能が一体化したサーバ装置について説明したが、両機能を別々に備えたサーバ装置であってもよい。
【００３６】
ＬＡＮインターフェース部４０１は、ネットワークＮとＬＡＮ接続するためのインターフェース部である。
ＨＤＤ４０２は、各被制御装置に対応した複数のリモコンアプリ４０２ａ（リモコンアプリ１〜リモコンアプリＮ（Ｎは自然数）），リモコンアプリ対応表５３，課金情報対応表５４等を記録する大容量記録装置である。
【００３７】
ＲＯＭ４１１，ＲＡＭ４１２は、制御情報等を記録する。
制御部４１３は、各機能ブロックを制御する処理を実行する。
【００３８】
ここで、ＨＤＤ４０２に記録されるリモコンアプリ対応表５３について図６を用いて説明する。
図６は、リモコンアプリ対応表５３の一例を説明するための図で、被制御装置の製品型番に対応して、この製品型番の被制御装置を操作するためのリモコンアプリ名が定められている。
例えば、製品型番が、“Ｘ−ＴＶ−０００１”の被制御装置（ＴＶ装置）には、ＴＶ用リモコンアプリ１が対応している。
【００３９】
リモコンアプリ用配信／課金サーバ４０の制御部４１３は、このリモコンアプリ対応表５３を参照して、配信するリモコンアプリを決定する。
【００４０】
次に、課金情報対応表５４について、図７を用いて説明する。
図７は、課金情報対応表５４の一例を説明するための図で、課金情報対応表５４には、携帯端末のメーカ名、被制御装置のメーカ名に対応して、リモコンアプリの送信に対する課金額の割引率（％）及び課金額（円）が定められている。なお、ここでは、１つのリモコンアプリをダウンロードするのに１００円が課金されるとする。
【００４１】
例えば、携帯端末のメーカ及び被制御装置のメーカが共にＸ社の場合には、割引率が１００％と定められ、課金額が０円となる。一方、携帯端末のメーカ及び被制御装置のメーカが共にＸ社以外のＹ社の場合には、割引率が０％と定められ、課金額が１００円となる。
【００４２】
リモコンアプリ用配信／課金サーバ４０の制御部４１３は、この課金情報対応表５４を参照して、課金額を決定する。
【００４３】
ここで、リモコンアプリのダウンロード処理及び課金処理について、図８のフロー図を用いて説明する。
なお、携帯端末１０、被制御装置２０間での登録処理（ペアリング）は終了しているものとして説明をする。
【００４４】
まず、携帯端末１０は、携帯端末通信部１０１を介して、被制御装置２０に該装置２０の被制御装置識別情報の送信要求を行う（ステップＳ１）。
この送信要求を、被制御装置通信部２０１を介して受信した被制御装置２０は、被制御装置識別情報記憶部２０３に記憶されている被制御装置識別情報（ＴＶ装置識別情報１０３ａ）を携帯端末１０に送信する（ステップＳ２）。
なお、前述したペアリング時に取得できる被制御装置識別情報を利用すれば、上記処理（ステップＳ１，Ｓ２）を省略できる。
【００４５】
被制御装置２０からの被制御装置識別情報を受信した携帯端末１０は、サーバ通信部１０５を介して、リモコンアプリ用配信／課金サーバ４０に接続し、リモコンアプリの送信要求を行い（ステップＳ３）、携帯端末識別情報記憶部１０４に記憶された端末識別情報及び受信した被制御装置２０の被制御装置識別情報を送信する（ステップＳ４）。
【００４６】
送信要求及び携帯端末１０の端末識別情報及び被制御装置２０の被制御装置識別情報を、ＬＡＮインターフェース部４０１を介して受信したリモコンアプリ用配信／課金サーバ４０の制御部４１３は、被制御装置２０の被制御装置識別情報に含まれている製品型番を抽出し、図６に示したリモコンアプリ対応表５３を参照し、送信するリモコンアプリを決定する（ステップＳ５）。
続いて、課金額を決定する処理（ステップＳ６）を実行する。
【００４７】
図９は、課金額を決定する処理を説明するためのフロー図である。
まず、リモコンアプリ用配信／課金サーバ４０の制御部４１３は、受信した携帯端末１０の端末識別情報から携帯端末１０のメーカ名を抽出し、抽出したメーカ名がＸ社か否かを判定する（ステップＳ６１）。
【００４８】
携帯端末１０のメーカ名がＸ社の場合には（ステップＳ６１：ＹＥＳ）、同制御部４１３は、受信した被制御装置２０の被制御装置識別情報から被制御装置２０のメーカ名を抽出し、抽出したメーカ名がＸ社か否かを判定する（ステップＳ６２）。
【００４９】
被制御装置２０のメーカ名がＸ社の場合には（ステップＳ６２：ＹＥＳ）、同制御部４１３は、課金情報対応表５４を参照して、課金額は０円であると決定する（ステップＳ６３）。
【００５０】
被制御装置２０のメーカ名がＸ社ではない場合には（ステップＳ６２：ＮＯ）、同制御部４１３は、課金情報対応表５４を参照して、課金額は５０円であると決定する（ステップＳ６５）。
【００５１】
また、携帯端末１０のメーカ名がＸ社ではない場合には（ステップＳ６１：ＮＯ）、同制御部４１３は、受信した被制御装置２０の被制御装置識別情報から被制御装置２０のメーカ名を抽出し、抽出したメーカ名がＸ社か否かを判定する（ステップＳ６４）。
【００５２】
被制御装置２０のメーカ名がＸ社の場合には（ステップ６４：ＹＥＳ）、同制御部４１３は、課金情報対応表５４を参照して、課金額は５０円であると決定する（ステップＳ６５）。
【００５３】
被制御装置２０のメーカ名がＸ社ではない場合には（ステップＳ６４：ＮＯ）、同制御部４１３は、課金情報対応表５４を参照して、課金額は１００円であると決定する（ステップＳ６６）。
【００５４】
図９で説明した課金額の決定処理が終了すると、リモコンアプリ用配信／課金サーバ４０は、携帯端末１０に決定したリモコンアプリを送信（配信）する（ステップＳ７）。
【００５５】
携帯端末１０は、リモコンアプリ用配信／課金サーバ４０が送信したリモコンアプリを受信し（ステップＳ８）、受信したリモコンアプリをリモコンアプリ記憶部１０２に記憶（インストール）する（ステップＳ９）。
【００５６】
なお、後述するように複数の被制御装置をリモートコントロールする場合には、複数の被制御装置識別情報を同時に送信すれば、各被制御装置識別情報に対応した複数のリモコンアプリをダウンロードできる。
また、リモコンアプリ用配信／課金サーバ４０は、決定した課金額を携帯端末１０に送信してもよい。
【００５７】
このように、複数のリモコンアプリの中から携帯端末とペアリングした被制御装置に対応するリモコンアプリを自動的に指定しダウンロードできるので、ユーザの利便性が向上する。
【００５８】
また、同一メーカの被制御装置（家電機器等）に対応するリモコンアプリをダウンロードする場合には、ダウンロード料金を無料にする等、きめ細かなサービスを提供することができる。
【００５９】
また、被制御装置に新たにＨＤＤ等の大容量記録装置を設け、該記録装置にインターネット，放送波等を介して取得したリモコンアプリを記録することで、被制御装置をリモコンアプリ用配信サーバとして機能させることもできる。
また、リモコンアプリのダウンロードと同時に推奨パラメータ情報（コントラスト比，色温度等）をダウンロードできるようにしてもよい。
【００６０】
以上説明したように、リモコンアプリを使用して被制御装置をリモートコントロールできるため、下記の効果を発揮できる。
すなわち、日常的に使用する携帯電話機等の携帯端末でリモコンアプリを動作させるため、ユーザの操作性が向上する。
リモコンアプリはＪａｖａ（登録商標）等の汎用的なプログラム言語を使用して作成されているため、ユーザの嗜好に適したユーザインターフェイスを提供できる。また、ユーザ毎に容易にカスタマイズすることができる。
リモコンアプリに不具合があっても、不具合を修正したリモコンアプリを後述するシステムを利用してユーザに配布すればよいので、容易に不具合を修正できる。
新規にリモコンを製造する必要がなくなるので、製品の製造単価を下げることができる。
【００６１】
また、携帯端末１０と被制御装置２０とが無指向性の無線（例えば、ブルートゥース）にて通信できるため、リモコン信号を被制御装置に送信する際に、通信部を送信先の被制御装置に向ける必要がなく、ユーザの操作性が向上する。
【００６２】
また、リモコンアプリのダウンロードに対する課金において、ユーザが所持する携帯端末（携帯電話機）及び／又は被制御装置（家電機器）のメーカを考慮して、課金額をきめ細かに決定するので、例えば、携帯端末を所持するユーザ（消費者）が、被制御装置を購入しようとする場合に、携帯端末と同一メーカの被制御装置を購入しようとするインセンティブを高めることができ、当該メーカ（Ｘ社）の被制御装置の販売促進に寄与できる。
【００６３】
（実施例２）
実施例１では、被制御装置が１台の場合について説明したが、実施例２では、被制御装置が複数台の場合について、図１０〜図１４を用いて説明する。
図１０は、２台の被制御装置をリモートコントロールする携帯端末１０のブロック図である。
なお、このブロック図では、被制御装置（ＴＶ装置）２０と被制御装置（レコーダ装置）２１とがＩＥＥＥ１３９４シリアルバス等で接続され、被制御装置（レコーダ装置）２１は、被制御装置（ＴＶ装置）２０のコントロール下にある。この場合には、携帯端末１０の携帯端末通信部１０１は、被制御装置（レコーダ装置）２１との接続認証処理は実行せずに、被制御装置（ＴＶ装置）２０のみと接続認証処理を実行する。
【００６４】
リモコンアプリ記憶部１０２には、ＴＶ用リモコンアプリ１０２ａの他に、リモコンアプリ用配信／課金サーバ４０からダウンロード（受信）したレコーダ用リモコンアプリ１０２ｂ、ＴＶ／レコーダ用リモコンアプリ１０２ｃが記憶されている。レコーダ用リモコンアプリ１０２ｂは、被制御装置（レコーダ装置）２１をリモートコントロールするリモコンアプリで、ＴＶ／レコーダ用リモコンアプリ１０２ｃは、被制御装置（ＴＶ装置）２０と被制御装置（レコーダ装置）２１を同時にリモートコントロールするリモコンアプリである。
【００６５】
ここで、ＴＶ／レコーダ用リモコンアプリ１０２ｃの実行時に表示部１１３に表示される画面、及び、ＴＶ／レコーダ用リモコンアプリ１０２ｃが生成するリモコン信号について図１１及び図１２を用いて説明する。
図１１は、ＴＶ／レコーダ用リモコンアプリ１０２ｃの実行時に表示部１１３に表示される画面の一例を説明するための図で、図１２は、ＴＶ／レコーダ用リモコンアプリ１０２ｃが有するリモコン信号対応表の一例である。
【００６６】
ユーザがＴＶ／レコーダ用リモコンアプリ１０２ｃを起動すると、最初に図１１（Ａ）に示すリモコン画面５５が表示部１１３に表示される。
図中、５５ａは被制御装置（ＴＶ装置）２０及び被制御装置（レコーダ装置）２１の電源を同時にオンできる同時電源ＯＮキー、５５ｂは両装置の電源を同時にオフできる同時電源ＯＦＦキー、５５ｃはチャンネル入力ボックス、５５ｄはレコーダ操作キー、５５ｅはＴＶ用メニューキー、５５ｆはレコーダ用メニューキー、Ｃはカーソルである。
【００６７】
ユーザが同時電源ＯＮキー５５ａにカーソルＣを当てて、操作部１１２の決定キーを押すと、ＴＶ／レコーダ用リモコンアプリ１０２ｃは、図１２に示したリモコン信号対応表５７を参照して、被制御装置（ＴＶ装置）２０及び被制御装置（レコーダ装置）２１の電源を同時にオンにするように被制御装置（ＴＶ装置）２０及び被制御装置（レコーダ装置）２１に指令するリモコン信号（同時電源ＯＮ信号“０ｘ１０００＆＆０ｘ２０００”）を生成し、このリモコン信号を、携帯端末通信部１０１を介して、被制御装置（ＴＶ装置）２０に送信する。なお、前述したように被制御装置（レコーダ装置）２１は、被制御装置（ＴＶ装置）２０にコントロールされているため、このリモコン信号が直接、被制御装置（レコーダ装置）２１に送信されることはない。
【００６８】
被制御装置（ＴＶ装置）２０及び被制御装置（レコーダ装置）２１の電源を同時にオンにした後、ユーザがレコーダ装置を操作しようとして、カーソルＣをレコーダ操作キー５５ｄに移動すると、図１１（Ｂ）のようにリモコン画面が切り替わり、記録リスト表示キー５６ａ、操作キー５６ｂ、戻るキー５６ｃがリモコン画面５６に表示される。
【００６９】
ここで、図１０の説明に戻る。
被制御装置識別情報記憶部１０３には、ＴＶ装置識別情報１０３ａの他に、被制御装置（ＴＶ装置）２０に接続された被制御装置（レコーダ装置）２１を識別するためのレコーダ装置識別情報１０３ｂが記憶されている。
【００７０】
このように、被制御装置（ＴＶ装置）２０及び被制御装置（レコーダ装置）２１を同時に操作できるため、ユーザの利便性が向上する。特に、ステレオシステム等、複数のＡＶ装置（再生装置、アンプ、ＴＶ装置、プロジェクタ等）を同時にリモートコントロールする場合には、ユーザの利便性がさらに向上する。
【００７１】
図１３は、被制御装置（レコーダ装置）２１と接続している被制御装置（ＴＶ装置）２０のブロック図である。
リモコン信号／制御コマンド変換部２０２Ａは、実施例１で説明したように、同部２０２Ａに記憶されたリモコン信号／制御コマンド対応表を参照して、携帯端末１０のリモコンアプリが送信したリモコン信号を、被制御装置２０及び被制御装置２０に接続されている他の被制御装置２１の各機能を実行するときに発行される制御コマンドに変換し被制御装置基本機能部２１１、接続装置制御部２０４に出力する。
【００７２】
図１４は、リモコン信号／制御コマンド対応表５８の一例を示した図である。
図に示したように、携帯端末１０からのリモコン信号に対応して、被制御装置２０及び被制御装置２１の制御コマンドが定められている。
【００７３】
接続装置制御部２０４は、被制御装置（ＴＶ装置）２０に接続している被制御装置（レコーダ装置）２１を制御する。
被制御装置（ＴＶ装置）２０と被制御装置（レコーダ装置）２１とがＩＥＥＥ１３９４シリアルバスによりネットワーク接続（デイジーチェーン接続）されている場合には、前述した制御コマンドがリモコン信号／制御コマンド変換部２０２Ａから入力されると、それに対応したＡＶＣコマンド等の他の被制御装置の制御コマンドに変換し、該制御コマンドを制御対象となる他の被制御装置に送信する。
【００７４】
接続装置識別情報記憶部２０５は、被制御装置２０に接続された他の被制御装置の識別情報を記憶する。この識別情報を参照して、接続装置制御部２０４は、コントロールする他の被制御装置を識別することができる。なお、図では、被制御装置（レコーダ装置）２１の識別情報であるレコーダ用識別情報２０５ａが記憶されている。
【００７５】
他の被制御装置接続部２１５は、他の被制御装置を接続する接続機能を提供する。
【００７６】
このように、複数の被制御装置を、リモコンアプリを利用して同時にリモートコントールできるのでユーザの利便性が向上する。
なお、被制御装置（ＴＶ装置）２０に接続される他の被制御装置は、１台に限られない。
【００７７】
また、実施例２では、被制御装置（ＴＶ装置）２０と被制御装置（レコーダ装置）２１とがＩＥＥＥ１３９４シリアルバスによりネットワーク接続され、被制御装置（レコーダ装置）２１が被制御装置（ＴＶ装置）２０のコントロール下にあったが、両被制御装置が、接続されず独立的であってもよい。この場合には、ＴＶ／レコーダ用リモコンアプリ１０２ｃは、携帯端末１０と無線接続されている被制御装置毎にリモコン信号を生成し、生成したリモコン信号を各被制御装置に振り分ければよい。なお、携帯端末１０の携帯端末通信部１０１は、各被制御装置（被制御装置（ＴＶ装置）２０，被制御装置（レコーダ装置）２１）と前述した接続認証処理を実行する。
【図面の簡単な説明】
【００７８】
【図１】本発明の概略を示したシステム構成図である。
【図２】携帯端末，被制御装置，リモコンアプリ用配信／課金サーバのブロック図である。
【図３】ＴＶ用リモコンアプリの実行時の画面の一例を説明するための図である。
【図４】ＴＶ用リモコンアプリが有するリモコン信号対応表の一例である。
【図５】リモコン信号／制御コマンド対応表の一例を示した図である。
【図６】リモコンアプリ対応表の一例を説明するための図である。
【図７】課金情報対応表の一例を説明するための図である。
【図８】リモコンアプリのダウンロード処理及び課金処理を説明するためのフローズである。
【図９】課金額を決定する処理を説明するためのフロー図である。
【図１０】２台の被制御装置をリモートコントロールする携帯端末のブロック図である。
【図１１】ＴＶ／レコーダ用リモコンアプリの実行時の画面の一例を説明するための図である。
【図１２】ＴＶ／レコーダ用リモコンアプリが有するリモコン信号対応表の一例である。
【図１３】被制御装置（レコーダ装置）と接続している被制御装置（ＴＶ装置）のブロック図である。
【図１４】リモコン信号／制御コマンド対応表の一例を示した図である。
【符号の説明】
【００７９】
１０…携帯端末、１０１…携帯端末通信部、１０２…リモコンアプリ記憶部、１０３…被制御装置識別情報記憶部、１０４…携帯端末識別情報記憶部、１０５…サーバ通信部、１１１…携帯端末基本機能部、１１２…操作部、１１３…表示部、１１４…制御部、１１４ａ…リモコンアプリ実行部、２０，２１…被制御装置、２０１…被制御装置通信部、２０２，２０２Ａ…リモコン信号／制御コマンド変換部、２０３…被制御装置識別情報記憶部、２０４…接続装置制御部、２０５…接続装置識別情報記憶部、２１１…被制御装置基本機能部、２１２…操作部、２１３…表示部、２１４…制御部、２１５…他の被制御装置接続部、３０…基地局、４０…リモコンアプリ用配信／課金サーバ、４０１…ＬＡＮインターフェース部、４０２…ＨＤＤ、４１１…ＲＯＭ、４１２…ＲＡＭ、４１３…制御部、５０…リモコン画面、５１…リモコン信号対応表、５２…制御コマンド対応表、５３…リモコンアプリ対応表、５４…課金情報対応表、５５，５６…リモコン画面、５７…リモコン信号対応表、５８…制御コマンド対応表。
【図１】
2008172614.tif 000003
【図２】
2008172614.tif 000004
【図３】
2008172614.tif 000005
【図４】
2008172614.tif 000006
【図５】
2008172614.tif 000007
【図６】
2008172614.tif 000008
【図７】
2008172614.tif 000009
【図８】
2008172614.tif 000010
【図９】
2008172614.tif 000011
【図１０】
2008172614.tif 000012
【図１１】
2008172614.tif 000013
【図１２】
2008172614.tif 000014
【図１３】
2008172614.tif 000015
【図１４】
2008172614.tif 000016